(57)【特許請求の範囲】
【請求項１】
遊技機の制御を行う制御基板を収納する基板ケースの開閉を防止する基板ケースの開閉防止部材であって、
前記基板ケースは、
側端部に中空状の螺子孔が設けられた螺子受け部を備え、前記遊技機に固定されるベース部材と、
前記ベース部材に係止され、前記制御基板を保護するカバー部材と
から構成され、
前記カバー部材は、
一面が開放された蓋形状に形成された保護部材と、
当該保護部材の対向する２つの側面に各々設けられた少なくとも一面が開放された形状に形成された台座と
から構成され、
前記台座は、貫通孔を備えた筒状体と、
当該筒状体を支持して前記台座に連結する支持部材と
を備え、
前記カバー部材は、緊締方向にのみ螺回可能な螺子により、前記貫通孔を介して前記螺子受け部に螺合されることでベース部材に係止され、
前記開閉防止部材は、
天板と、当該天板に一端部が固定され、当該天板を支持する脚部とから成る蓋部材と、
前記脚部の他端部が固定される脚受部材と
から構成され、
前記蓋部材を前記脚受部材に固定した場合に、前記支持部材に対してベース部材側、及び前記保護部材の側面と前記筒状体との間に前記脚受部材の少なくとも一部が挿入され、
前記筒状体の上部が、前記天板により覆われることを特徴とする基板ケースの開閉防止部材。
【請求項２】
前記天板は、前記支持部材の上部を覆うことを特徴とする請求項１に記載の基板ケースの開閉防止部材。
【請求項３】
前記筒状体は複数あって、前記筒状体を覆う前記蓋部材には、各々異なった色が着色されていることを特徴とする請求項１又は２に記載の基板ケースの開閉防止部材。
【請求項４】
前記筒状体は複数あって、前記筒状体を覆う前記蓋部材には、各々異なった文字又は記号又は符号が付されていることを特徴とする請求項１又は２に記載の基板ケースの開閉防止部材。
【請求項５】
前記蓋部材は、
平面視、矩形状に形成された天板と、
長尺状の脚部と
から構成され、
前記脚部の長手方向一端部は、前記天板に固定され、他端部は底面視十字形状の切欠形状が形成された円錐台形状の突設部の底面が固定され、
前記脚受部材は、平面視、コの字形状に形成されるとともに、前記突設部に嵌合する嵌合孔を備えたことを特徴とする請求項１乃至４のいずれかに記載の基板ケースの開閉防止部材。
【請求項６】
請求項１乃至５のいずれかに記載の基板ケースの開閉防止部材を備えたことを特徴とする遊技機の基板ケース。
【請求項７】
請求項６に記載の基板ケースを備えたことを特徴とする遊技機。
【発明の詳細な説明】
【技術分野】
【０００１】
本発明は、基板ケースのこじ開けを防止する基板ケースの開閉防止部材、当該基板ケースの開閉防止部材を備えた遊技機の基板ケース及び当該基板ケースを備えた遊技機に関する。
【背景技術】
【０００２】
従来、パチンコ機やスロットマシン等の遊技機では、遊技機の動作を制御するためのＣＰＵやＲＯＭ等の制御素子を備えた制御基板が、合成樹脂製の制御基板ケースの内部に収容されている。これは、制御基板ケースによって制御基板を保護するとともに、ＲＯＭを交換して遊技内容を恣意的に変更しようとする不正行為を防ぐためである。そして、この制御基板ケースについて、不正なＲＯＭ交換を目的としたカバーのこじ開けをより確実に防止するために、さまざまな公知技術が知られている。
【０００３】
例えば、制御基板が固定されるベース部材（底板）と当該ベース部材に固定された制御基板を覆うカバー部材とを緊締方向にのみ螺回可能なかしめネジにより固定したものが知られている（例えば、特許文献１を参照。）。この特許文献１に記載の遊技機の制御基板ケースでは、一旦、ベース部材にカバー部材を組み合わせるとかしめネジを取り外しての解放は困難になっている。
【０００４】
また、かしめ金具設置後、係止キャップをかしめ孔に嵌着させることで、かしめ金具を外部から遮蔽するものが知られている（例えば、特許文献２を参照。）。この特許文献２に記載の遊技機の主基板ケースでは、直接かしめ用金具が触られることを防止している。
【特許文献１】特開２００６−３４６０８号公報
【特許文献２】特開２００５−３４２１９３号公報
【発明の開示】
【発明が解決しようとする課題】
【０００５】
しかしながら、従来の緊締方向にのみ螺回可能なかしめネジを使って制御基板ケースを締め付ける方法でも、緊締方向とは逆方向に回転させ、制御基板ケースが不正に抉じ開けられるという問題があった。
【０００６】
例えば、上記特許文献１においての制御基板ケースでは、かしめネジ上部を接着剤等でドライバーなどに接着した後、緊締方向とは逆方向に回転させ、かしめネジを外し、抉じ開けられる。
【０００７】
また、上記特許文献２においての主基板ケースでは、かしめ金具上部に設けられた係止キャップを破壊することでかしめ金具の操作が可能となる。そして、不正を行った後、新たな係止キャップを嵌入することで主基板ケースの再現が可能である。
【０００８】
本発明は、上述した問題を解決するためになされたものであり、基板ケースのこじ開けを防止する基板ケースの開閉防止部材、当該基板ケースの開閉防止部材を備えた遊技機の基板ケース及び当該基板ケースを備えた遊技機を提供することを目的とする。
【課題を解決するための手段】
【０００９】
上記課題を解決するため、請求項１に係る発明の遊技機の基板ケースの開閉防止部材は、遊技機の制御を行う制御基板を収納する基板ケースの開閉を防止する基板ケースの開閉防止部材であって、前記基板ケースは、側端部に中空状の螺子孔が設けられた螺子受け部を備え、前記遊技機に固定されるベース部材と、前記ベース部材に係止され、前記制御基板を保護するカバー部材とから構成され、前記カバー部材は、一面が開放された蓋形状に形成された保護部材と、当該保護部材の対向する２つの側面に各々設けられた少なくとも一面が開放された形状に形成された台座とから構成され、前記台座は、貫通孔を備えた筒状体と、当該筒状体を支持して前記台座に連結する支持部材を備え、前記カバー部材は、緊締方向にのみ螺回可能な螺子により、前記貫通孔を介して前記螺子受け部に螺合されることでベース部材に係止され、前記開閉防止部材は、天板と、当該天板に一端部が固定され、当該天板を支持する脚部とから成る蓋部材と、前記脚部の他端部が固定される脚受部材とから構成され、前記蓋部材を前記脚受部材に固定した場合に、前記支持部材に対してベース部材側、及び前記保護部材の側面と前記筒状体との間に前記脚受部材の少なくとも一部が挿入され、前記筒状体の上部が、前記天板により覆われることを特徴とする。
【００１０】
また、請求項２に係る発明の基板ケースの開閉防止部材は、請求項１に記載の発明の構成に加えて、前記天板は、前記支持部材の上部を覆うことを特徴とする。
【００１１】
また、請求項３に係る発明の基板ケースの開閉防止部材は、請求項１又は２に記載の発明の構成に加えて、前記筒状体は複数あって、前記筒状体を覆う前記蓋部材には、各々異なった文字又は記号又は符号が付されていることを特徴とする。
【００１２】
また、請求項４に係る発明の基板ケースの開閉防止部材は、請求項１又は２に記載の発明の構成に加えて、前記筒状体は複数あって、前記筒状体を覆う前記蓋部材には、各々異なった文字又は記号又は符号が付されていることを特徴とする。
【００１３】
また、請求項５に係る発明の基板ケースの開閉防止部材は、請求項１乃至４のいずれかに記載の発明の構成に加えて、前記蓋部材は、平面視、矩形状に形成された天板と、長尺状の脚部とから構成され、前記脚部の長手方向一端部は、前記天板に固定され、他端部は底面視十字形状の切欠形状が形成された円錐台形状の突設部の底面が固定され、前記脚受部材は、平面視、コの字形状に形成されるとともに、前記突設部に嵌合する嵌合孔を備えたことを特徴とする。
【００１４】
また、請求項６に係る発明の遊技機の基板ケースは、請求項１乃至５のいずれかに記載の基板ケースの開閉防止部材を備えたことを特徴とする。
【００１５】
また、請求項７に係る発明の遊技機は、請求項６に記載の基板ケースを備えたことを特徴とする。
【発明の効果】
【００１６】
請求項１に係る発明の基板ケースの開閉防止部材では、蓋部材の天板がカバー部材の台座に設けられた筒状体の上部を覆っており、蓋部材は脚部を介して脚受部材と固定されている。また、筒状体の内部には貫通孔があり、その貫通孔を介して緊締方向にのみ螺回可能な螺子によりベース部材の螺子受け部に螺合されることでカバー部材はベース部材に固定されている。したがって、開閉防止部材を分解しない限り、筒状体の内部の螺子を操作することはできない。その結果、基板ケースの螺子を外し、不正なＲＯＭ交換を目的とした基板ケースのこじ開けを有効に防止することができる。
【００１７】
また、請求項２に係る発明の基板ケースの開閉防止部材では、請求項１に記載の発明の効果に加え、蓋部材がカバー部材の台座に設けられた筒状体を支持する支持部材の上部を覆っている。これにより、不正に分解する目的で支持部材を切断することを防止できる。
【００１８】
また、請求項３に係る発明の基板ケースの開閉防止部材では、請求項１又は２に記載の発明の効果に加え、筒状体を覆う蓋部材は各々異なった色が着色されている。このため、不正に開閉防止部材を破壊し、他の基板ケースに設けられている開閉防止部材を使用して復元した場合、容易に正規のものか否かを判断できる。
【００１９】
また、請求項４に係る発明の基板ケースの開閉防止部材では、請求項１又は２に記載の発明の効果に加え、筒状体を覆う蓋部材は各々異なった文字又は記号又は符号が付されている。このため、不正に開閉防止部材を破壊し、他の基板ケースに設けられている開閉防止部材を使用して復元した場合、容易に正規のものか否かを判断できる。
【００２０】
また、請求項５に係る発明の基板ケースの開閉防止部材では、請求項１乃至４のいずれかに記載の発明の効果に加え、蓋部材の突設部と嵌合する嵌合孔が脚受部材に設けられている。これにより、蓋部材と脚受部材を嵌合させると容易には分解できないようになっている。その結果、基板ケースの螺子を外し、不正なＲＯＭ交換を目的とした基板ケースのこじ開けを有効に防止することができる。
【００２１】
また、請求項６に係る発明の遊技機の基板ケースでは、請求項１乃至５のいずれかに記載の開閉防止部材を備えている。よって、基板ケースの開閉防止部材を分解しない限り、筒状体の内部の螺子を操作することはできない。その結果、基板ケースの螺子を外し、不正なＲＯＭ交換を目的とした基板ケースのこじ開けを有効に防止することができる。
【００２２】
また、請求項７に係る発明の遊技機は、請求項６に記載の基板ケースを備えている。よって、基板ケースの開閉防止部材を分解しない限り、筒状体の内部の螺子を操作することはできない。その結果、基板ケースの螺子を外し、不正なＲＯＭ交換を目的とした基板ケースのこじ開けを有効に防止することができる。
【発明を実施するための最良の形態】
【００２３】
以下、本発明の第一の実施の形態及び第二の実施の形態について図面を参照して説明する。第一の実施の形態では、パチンコ機１の内部に取り付けられる制御基板ケース１０の開閉防止部材１００について説明する。第二の実施の形態では、パチンコ機１の内部に取り付けられる払出制御基板ケース５の開閉防止部材３００について説明する。まず、制御基板ケース１０及び払出制御基板ケース５が設けられたパチンコ機１の構成について説明する。図１は、パチンコ機１の背面図である。図２は、パチンコ機１の背面における部分拡大図である。なお、図１又は図２に示す制御基板ケース１０又は払出制御基板ケース５が本発明の「基板ケース」に相当する。
【００２４】
図１に示すように、パチンコ機１は、パチンコ機１本体を支持する正面視略長方形状の外枠２を備えており、この外枠２により遊技場の遊技機設置島（図示外）に設置される。そして、パチンコ機１の背面の右下部には、払出制御基板（図示外）を収納した払出制御基板ケース５が設けられている。そして、払出制御基板ケース５の上には、遊技機設置島に設置されたパチンコ機１の隣に設置され、現金やプリペイドカードを投入して、パチンコ機１で使用する遊技球を交換するためのカードユニット（図示外）と接続するためのカードユニット接続装置６が設けられている。
【００２５】
また、パチンコ機１の前面の上約半分には各種入賞口や役物、液晶画面を備えた遊技盤（図示外）が備えられている。そして、この遊技盤の背面には液晶画面（図示外）の制御を行う図柄表示基板（図示外）や各種ランプや電動役物の制御を行う電飾基板（図示外）が設けられている。これらの図柄表示基板や電飾基板、遊技盤の背面、各種配線は、パチンコ機１の背面の略中央部に設けられたセンターカバー４により覆われて保護されている。また、カードユニット接続装置６の上部には、遊技機の前面に設けられている下皿（図示外）に遊技球を払い出す（排出する）ための払出装置７が設けられている。そして、パチンコ機１の背面上部、センターカバー４の上部には、遊技球タンク３が設けられており、遊技機設置島から供給された遊技球を貯留し、その遊技球を払出装置７へ供給する。
【００２６】
図２に示すように、センターカバー４の内部には、ＣＰＵやＲＯＭ等の制御素子を備えてパチンコ機１の主制御を司る制御基板（図示外）を収納した透明な樹脂製の制御基板ケース１０が収容されている。なお、センターカバー４は透明な樹脂で形成されているため、その外部からセンターカバー４の内部を視認することが可能である。よって、遊技場の係員等がセンターカバー４の外部から、その内部に格納された制御基板ケース１０を確認することができるようになっている。なお、図２では理解の容易のため、制御基板ケース１０を点線で表示している。
【００２７】
以下、第一の実施の形態について説明する。まず、図３，図４又は図８を参照して、制御基板ケース１０についての構成を説明する。図３は遊技機１より取り外された制御基板ケース１０の斜視図であり、図４は制御基板ケース１０の分解斜視図であり、図８は開閉防止部材１００を設けた右かしめ部の部分拡大図である。
【００２８】
図３又は図８に示すように、遊技機１から取り外された制御基板ケース１０には、開閉防止部材１００がカバー部材２０の各々筒状体９３及び支持部材９４，９５を覆うように設けられている。
【００２９】
次に、制御基板ケース１０の構成について説明する。図４に示すように、制御基板ケース１０は、カバー部材２０がかしめネジ８０，９０によりベース部材３０に固定されて、中空の略箱状体に構成される。なお、カバー部材２０とベース部材３０との間に挟みこむように、ＣＰＵやＲＯＭ等の制御素子を備えた制御基板が制御基板ケース１０の内部に収容されるが、理解を容易とする。なお、制御基板又は開閉防止部材１００は図示していない。
【００３０】
次に、図４を参照して、制御基板ケース１０のカバー部材２０について説明する。カバー部材２０は、制御基板（図示外）を保護する長方形状の基板保護面４０と当該基板保護面４０の長手方向一端部（図４における右端部）から立設された右側面４１、当該一端部と反対側の端部（図４における左端部）から立設された左側面４２，前記長手方向と直交する方向の下縁端部（図４における下部）から立設された下側面４３及び当該下縁端部と反対側の上縁端部（図４における上部）から立設された上側面４４により蓋形状の外観をなす。ここで、蓋形状であるカバー部材２０の開放した面を開放面と呼ぶ。
【００３１】
さらに、カバー部材２０の各側面４１〜４４には、カバー部材２０をベース部材３０に固定するための構成を有する。右側面４１には中空状の台座２７が付設されている。そして、その台座２７には円筒状の貫通孔９３（図６参照）が穿設された４つの筒状台座２１〜２１ｄが縦１列に設けられている。そして、筒状台座２１ａ〜２１ｄは、各々ベース部材３０の螺子受け部３１ａ〜３１ｄに対応して、かしめネジ８０ａ〜８０ｄを各々貫挿可能である。また、右側面４１には、ベース部材３０に設けられた係止爪部３８ａ，３８ｂが各々貫挿可能な貫通孔７１ａ，７１ｂが穿設され、係止爪部３８ａ，３８ｂの先端に設けられる爪片が各々係止される係止部位を有する正面視Ｌ字形状の爪受け部２８ａ，２８ｂが設けられている。筒状台座２１ａの下側に係止爪部３８ａが係止される爪受け部２８ａが、筒状台座２１ｄの上側に係止爪部３８ｂが係止される爪受け部２８ｂが、それぞれ設けられている。
【００３２】
同様に、カバー部材２０の左側面４２にも、中空状の台座２７が付設されている。そして、その台座２７には円筒状の貫通孔９３（図６参照）が穿設された４つの筒状台座２２ａ，２２ｂ，２２ｃ，２２ｄが設けられている。そして、筒状台座２２ａ〜２２ｄは、各々ベース部材３０の螺子受け部３２ａ〜３２ｄに対応して、かしめネジ９０ａ〜９０ｄを各々貫挿可能である。また、左側面４２にも、ベース部材３０に設けられた係止爪部３９ａ，３９ｂが貫挿可能な貫通孔７２ａ，７２ｂが穿設され、係止爪部３９ａ，３９ｂの先端に設けられる爪片が各々係止される係止部位を有する正面視Ｌ字形状の爪受け部２９ａ，２９ｂが設けられている。そして、筒状台座２２ａの上側に係止爪部３９ａが係止される爪受け部２９ａが、筒状台座２２ｄの下側に係止爪部３９ｂが係止される爪受け部２９ｂが、それぞれ設けられている。
【００３３】
一方、カバー部材２０の下側面４３には、開放面の高さと基板保護面４０の高さとの間に位置し、開放面及び基板保護面４０と平行をなす正面視矩形状の段差面２５が設けられている。この段差面２５により、カバー部材２０の下縁部では階段状に段差が形成される。そして、この段差面２５の下端部には、若干隆起した爪受け部２４が設けられており、ベース部材３０の下端部に設けられた係止爪部３４の先端の爪片が、この爪受け部２４に係止される。
【００３４】
他方、カバー部材２０の上側面４４には、開放面側からコの字に凹陥された嵌挿凹部２３ａ，２３ｂが形成されている。本実施の形態では、上側面４４の横方向（図４の左右方向）に対して略均等に２つの嵌挿凹部２３ａ，２３ｂが設けられており、それぞれベース部材３０に設けられた嵌挿凸部３３ａ，３３ｂが係合される。
【００３５】
次に、ベース部材３０について説明する。図４に示すように、ベース部材３０は、長方形状の底板５０と当該底板５０の長手方向一端部（図４における右端部）から立設された右側面５１、当該一端部と反対側の端部（図４における左端部）から立設された左側面５２、前記長手方向と直交する方向の下縁端部（図４における下部）から立設された下側面５３及び当該下縁端部と反対側の上縁端部（図４における上部）から立設された上側面５４により蓋形状の外観をなす。ここで、蓋形状であるベース部材３０の開放した面を開放面と呼ぶ。なお、蓋形状のカバー部材２０の開放面とベース部材３０の開放面とが平行をなすように対向させ、カバー部材２０の各側面とベース部材の各側面とが合わさるように組み合わされて、制御基板ケース１０が形成される。
【００３６】
さらに、ベース部材３０の各側面５１〜５４には、カバー部材２０をベース部材３０に固定するための構成を有する。具体的には、右側面５１には、中空状のネジ孔が形成された螺子受け部３１ａ，３１ｂ，３１ｃ，３１ｄの４つの螺子受け部が縦１列に設けられている。そして、螺子受け部３１ａ〜３１ｄは、各々カバー部材２０の筒状台座２１ａ〜２１ｄに対応して、かしめネジ８０ａ〜８０ｄを各々嵌挿可能である。また、右側面５１には、開放面（カバー部材２０）の方向に突出して、先端部付近が隆起して爪部が形成された矢印形状をなし、カバー部材２０の爪受け部２８ａ，２８ｂに各々係合される係止爪部３８ａ，３８ｂが設けられている。本実施の形態では、螺子受け部３１ａの下側に爪受け部２８ａに係止される係止爪部３８ａが、螺子受け部３１ｄの上側に爪受け部２８ｂに係止される係止爪部３８ｂが、それぞれ設けられている。
【００３７】
同様に、ベース部材３０の左側面５２には、中空状のネジ孔が形成された螺子受け部３２ａ，３２ｂ，３２ｃ，３２ｄの４つの螺子受け部が縦１列に設けられている。そして、螺子受け部３２ａ〜３２ｄは、各々カバー部材２０の筒状台座２２ａ〜２２ｄに対応して、かしめネジ９０ａ〜９０ｄを各々嵌挿可能である。また、左側面５２にも、開放面（カバー部材２０）の方向に突出して、先端部付近が隆起して爪部が形成された矢印形状をなし、カバー部材２０の爪受け部２９ａ，２９ｂに各々係合される係止爪部３９ａ，３９ｂが設けられている。本実施の形態では、螺子受け部３２ａの上側に爪受け部２９ａに係止される係止爪部３９ａが、螺子受け部３２ｄの下側に爪受け部２９ｂに係止される係止爪部３９ｂが、それぞれ設けられている。
【００３８】
一方、ベース部材３０の下側面５３には、開放面（カバー部材２０）の方向に突出して、先端部付近が隆起して爪部が形成された矢印形状をなし、カバー部材２０の爪受け部２４に係止される係止爪部３４が設けられている。
【００３９】
他方、ベース部材３０の上側面５４には、底板５０から上方向に突出して平面視Ｔ字型をなす嵌挿凸部３３ａ，３３ｂが形成されている。本実施の形態では、上側面５４の横方向（図４の左右方向）に対して略均等に２つの嵌挿凸部３３ａ，３３ｂが設けられており、それぞれカバー部材２０に設けられた嵌挿凹部２３ａ，２３ｂに係合される。
【００４０】
次に、かしめネジ８０ａ〜８０ｄ（かしめネジ９０ａ〜９０ｄ）について説明する。かしめネジ８０ａ〜８０ｄ（かしめネジ９０ａ〜９０ｄ）は、緊締方向にのみ螺回操作可能な頭部を有する所謂ワンウェイタイプのネジであり、胴部の先端には径が大きくなった大口径部を有している。そして、かしめネジ８０ａ〜８０ｄ（かしめネジ９０ａ〜９０ｄ）が、筒状台座２１ａ〜２１ｄ（筒状台座２２ａ〜２２ｄ）の貫通孔に貫挿され、かつ螺子受け部３１ａ〜３１ｄ（螺子受け部３２ａ〜３２ｄ）のネジ孔に貫嵌され、その大口径部がネジ孔において係止されることで、カバー部材２０をベース部材３０に密着固定するものであるが、詳細は後述する。
【００４１】
以上のような構成において、カバー部材２０の開放面とベース部材３０の開放面とを対向させつつ、その縁部を合致させるように両者を密着させることで、カバー部材２０とベース部材３０とが接触する四方縁部において両者が固定されて制御基板ケース１０が構成される。また、緊締方向にのみ螺回操作可能な頭部を有するワンウェイタイプのネジで螺子受け部３１ａ〜３１ｄ（螺子受け部３２ａ〜３２ｄ）に螺合することでベース部材３０とカバー部材をより密着に固定することができる。
【００４２】
次に、制御基板ケース１０における上記固定部位を図５乃至図７を参照して、個別に説明する。図５は、制御基板ケース１０の平面図である。図６は、右かしめ部１１ａ〜１１ｄの斜視図である。図７は、右かしめ部１１ａの部分拡大図である。なお、理解を容易とするために、開閉防止部材１００は図示していない。
【００４３】
図５及び図６に示すように、制御基板ケース１０の右側面６１では、筒状台座２１ａ〜２１ｄと螺子受け部３１ａ〜３１ｄとが各々係合されて、かしめネジ８０ａ〜８０ｄが嵌着される右かしめ部１１ａ〜１１ｄが形成される。同様に、制御基板ケース１０の左側面６２では、筒状台座２２ａ〜２２ｄと螺子受け部３２ａ〜３２ｄとが各々係合されて、かしめネジ９０ａ〜９０ｄが嵌着される左かしめ部１２ａ〜１２ｄが形成される。なお、右かしめ部１１ａ〜１１ｄの４箇所全てを用いる必要はなく、うちの１箇所にかしめネジ８０ａ〜８０ｄの１つを嵌着すればよく、同様に、左かしめ部１２ａ〜１２ｄの４箇所全てを用いる必要はなく、うちの１箇所にかしめネジ９０ａ〜９０ｄの１つを嵌着すればよい。以下では、番号「１」が付された右かしめ部１１ａ及び左かしめ部１２ａを用いて固定する場合を例示する。
【００４４】
図６及び図７に示すように、右かしめ部１１ａにおいて、筒状台座２１ａはかしめネジ８０ａが貫挿される円柱状の中空を有する筒状体９３と、筒状体９３を支持してカバー部材２０に連結する支持部材９４，９５と、筒状体９３の内部に設けられてかしめネジ８０ａの径の大きさに応じて伸縮してかしめネジ８０ａを固定する係止羽根９１，９２を備えている。また、筒状体９３は螺子受け部３１のネジ孔に連通される。なお、右かしめ部１１ｂ〜１１ｄの構成も右かしめ部１１ａと同様であり、４つの筒状体９３が並列に設けられるとともに、筒状台座２１ａ〜２１ｄはカバー部材２０に一体に設けられている。また、左かしめ部１２ａ〜１２ｄ（図５参照）の構成も右かしめ部１１ａ〜１１ｄと同様である。
【００４５】
そして、制御基板ケース１０を形成する場合、かしめネジ８０ａを筒状体９３に挿入しその頭部をねじ込み方向に回動押圧して、かしめネジ８０ａの頭部が係止羽根９１，９２に当接するまで押し込む。すると、かしめネジ８０ａの胴部がその側面から係止羽根９１，９２により押圧されて固定され、胴部の先端に設けられた大口径部が螺子受け部３１のネジ孔に嵌挿される。そして、かしめネジ８０ａはワンウェイタイプのネジであるから、引き抜くことが不可能である。同様に、左かしめ部１２ａ（図５参照）にもかしめネジ９０ａ（図４参照）が嵌め込まれる。
【００４６】
一方、内部の制御基板の検査や修理などの理由で、制御基板ケース１０を開放する必要がある場合、ニッパーやカッター等で支持部材９４，９５を切断すれば筒状体９３を取り外すことができる。このため、右かしめ部１１ａ及びかしめネジ８０ａを取り外すことができる。同様に左かしめ部１２ａ及びかしめネジ９０ａも取り外せば、制御基板ケース１０を開放することができる。そして再度、制御基板ケース１０を閉じる場合には、他の右かしめ部１１ｂ〜１１ｄ及び左かしめ部１２ｂ〜１２ｄ（図５参照）に、かしめネジ８０ｂ〜８０ｄ及びかしめネジ９０ｂ〜９０ｄ（図４参照）を嵌着すればよい。
【００４７】
また、図４乃至図６に示すように、制御基板ケース１０の右側面６１では、右かしめ部１１ａの下側において、爪受け部２８ａに形成された貫通孔に係止爪部３８ａが挿入され、係止爪部３８ａの先端に形成された爪部が爪受け部２８ａに係止されて、係合部１８ａが形成される。同様に右かしめ部１１ｄの上側において、係止爪部３８ｂが爪受け部２８ｂに係止されて、係合部１８ｂが形成される。なお、制御基板ケース１０の左側面６２でも、係止爪部３９ａ，３９ｂが爪受け部２９ａ，２９ｂに各々係止されて、係合部１９ａ，１９ｂが形成される。
【００４８】
次に、制御基板ケース１０のかしめ部を覆う開閉防止部材１００について図８乃至図１３を用いて説明する。図８は、開閉防止部材１００を備えた右かしめ部の部分拡大図であり、図９は、開閉防止部材１００の蓋部材１１０の斜視図であり、図１０は、開閉防止部材１００の蓋部材１１０の正面図であり、図１１は、開閉防止部材１００の脚受部材１３０の斜視図であり、図１２は、開閉防止部材１００の脚受部材１３０の正面図であり、図１３は、開閉防止部材１００の嵌合時の斜視図である。
【００４９】
まず、図６又は図８を参照して、開閉防止部材１００の組付位置について説明する。ここで、開閉防止部材１００が組み付けられる制御基板ケース１０の内部には、制御基板（図示外）が固定されており、カバー部材２０は爪受け部２８ａ，２８ｂによりベース部材３０の係止爪部３８ａ，３８ｂと係合している。また、緊締方向にのみ螺回操作可能な頭部を有するワンウェイタイプのかしめネジ８０ａ〜８０ｄが筒状体９３の内部を介して螺子受け部３１ａ〜３１ｄに螺合することでカバー部材２０をベース部材３０に密着固定している。
【００５０】
図８に示すように、開閉防止部材１００は、蓋部材１１０及び脚受部材１３０から構成さている。なお、蓋部材１１０，脚受部材１３０の形状及びその取付け方法に関しての詳細は後述する。そして、蓋部材１１０の天板１１１（図９参照）がカバー部材２０の筒状体９３の上部（平面視上側）及び支持部材９４，９５の上部（平面視上側）を覆うような位置に載置され、蓋部材１１０の脚部１２０（図９参照）が脚受部材１３０に嵌合することで取り付けられる。これにより、開閉防止部材１００が取り外されない限り、筒状体９３の内部にあるかしめネジ８０は触られないようになっている。
【００５１】
次に、図９及び図１０を参照して、開閉防止部材１００の蓋部材１１０の構成について説明する。図９及び図１０に示すように、開閉防止部材１００の蓋部材１１０は、平面視矩形状の天板１１１と、４本の長尺状の脚部１２０から構成されている。さらに、脚部１２０は、円柱状の円柱部材１２１と当該円柱部材１２１の先端に設けられた円錐台状の突出部１２２とから構成されている。ここで、円錐台状の突出部１２２の底面の径は、円柱部材１２１の底面の径よりも大きくなっている。そして、円柱部材１２１の長手方向の一端部には円錐台状の突出部１２２の底面が固定されている。また、天板１１１の略四隅には、円柱部材１２１の他端部が各々固定されている。さらに、円柱部材１２１の突出部１２２側及び突出部１２２には平面視、十字状に切欠形状１２３が設けられている。
【００５２】
次に、図１１及び図１２を参照して、開閉防止部材１００の脚受部材１３０の構成について説明する。図１１及び図１２に示すように、脚受部材１３０は平面視コの字形状の脚受底板１３１とその上面（平面視上側）に筒状の脚受突出部１３２から形成されている。そして、脚受突出部１３２は中空状の嵌合孔１３３を設け、蓋部材１１０の突出部１２２に嵌合する位置にそれぞれ設けられている。なお、脚受突出部１３２の嵌合孔１３３の開口部１３４の径は、蓋部材１１０の円柱状の円柱部材１２１の径と略同径、若しくはそれ以下である。また、嵌合孔１３３の収納部１３５の径は、蓋部材１１０の突出部１２２の円錐台形の底面の径と略同径、若しくはそれ以下である。
【００５３】
次に、図８，図９又は図１１を参照して、開閉防止部材１００の取付け方法について説明する。開閉防止部材１００の脚受部材１３０は平面視コの字形状の脚受底板１３１の凹部側を保護部材２６の側面と逆方向に向け、支持部材９４，９５の平面視下側（ベース部材側）になるように挿入され、筒状体９３の周壁を取り囲むように載置される。その際、脚受部材１３０の脚受突出部１３２は平面視上側（カバー部材２０の基板保護面４０側）に向いている。そして、蓋部材１１０が平面視上側（カバー部材２０の基板保護面４０側）より挿入され、脚部１２０の突出部１２２と脚受部材１３０の脚受突出部１３２が嵌合される。これにより、筒状体９３及び支持部材９４，９５の平面視上側（カバー部材２０の基板保護面４０側）は、蓋部材１１０の天板１１１により覆われる。ここで、蓋部材１１０の天板１１１は、筒状体９３の平面視上側及び支持部材９４，９５の平面視上側に接するように設けられ、脚受部材１３０の脚受底板１３１の平面視上側は支持部材９４，９５の平面視下側（ベース部材３０側）にできるだけ近づくように脚受底板１３１の厚みがあれば望ましい。さらに、筒状体９３と保護部材２６の側面との間にある脚受底板１３１の一部が、保護部材２６の側面及び筒状体９３の周壁に接していることが望ましい。さらに、脚受底板１３１の平面視コの字形状の内部の各々立設する側面も同様に筒状体９３の周壁に接していることが望ましい。そうすることで、脚受部材１３０と蓋部材１１０がずれることなく固定することができる。
【００５４】
次に、図９乃至図１３を参照して、蓋部材１１０と脚受部材１３０の嵌合部分について説明する。まず、蓋部材１１０の脚部１２０の円錐台形状の突出部１２２が、脚受部材１３０の脚受突出部１３２の開口部１３４に挿入されると開口部１３４の内周壁により突出部１２２が径方向内側に押圧される。これにより、突出部１２２の切欠形状１２３の幅が狭くなり突出部１２２が開口部１３４に嵌入される。さらに、蓋部材１１０が押下され、突出部１２２の円錐台形状の底面部分が収納部１３５にかかると、突出部１２２の切欠形状１２３が元の形状にもどる。その結果、突出部１２２が脚受部材１３０の脚受突出部１３２に嵌合され、蓋部材１１０と脚受部材１３０は固定され、抜脱できなくなる。
【００５５】
以上、説明したように、本実施形態の開閉防止部材１００を備えた制御基板ケース１０では、蓋部材１１０がカバー部材２０の台座２７に設けられた筒状体９３の上部、及び支持部材９４，９５の上部を覆っている。また、カバー部材２０の筒状体９３の内部に貫通孔があり、貫通孔を介して緊締方向にのみ螺回可能なかしめネジ８０ａ〜８０ｄ，９０ａ〜９０ｄによりカバー部材２０はベース部材３０に密着固定されている。したがって、蓋部材１１０と脚受部材１３０から構成される開閉防止部材１００を壊さない限り、筒状体９３の内部のかしめネジ８０ａ〜８０ｄ，９０ａ〜９０ｄを操作することはできない。これにより、制御基板ケース１０のかしめネジ８０ａ〜８０ｄ，９０ａ〜９０ｄを外し、不正なＲＯＭ交換を目的とした制御基板ケース１０のこじ開けを有効に防止することができる。尚、本実施形態のかしめネジ８０ａ〜８０ｄ，９０ａ〜９０ｄが本発明の「螺子」に相当する。
【００５６】
次に、図１４乃至図２１を参照して第二の実施の形態について説明する。図１４は開閉防止部材３００が取り付けられた払出制御基板ケース５の斜視図であり、図１５は払出制御基板ケース５の分解斜視図であり、図１６は開閉防止部材３００が取り付けられたかしめ部の平面図であり、図１７は開閉防止部材３００が取り付けられたかしめ部の右側面図であり、図１８は開閉防止部材３００が取り付けられたかしめ部の正面図であり、図１９は開閉防止部材３００の蓋部材３１０の上側から見た斜視図であり、図２０は開閉防止部材３００の脚受部材３３０の上側から見た斜視図であり、図２１は開閉防止部材３００の嵌合時の斜視図である。
【００５７】
まず、図１４又は図１５を参照して、払出制御基板ケース５の構成及び開閉防止部材３００について説明する。払出制御基板ケース５も第一の実施の形態で示した制御基板ケース１０と同様にカバー部材２００とベース部材２５０から構成されている。そして、カバー部材２００とベース部材２５０との間に挟みこむように、ＣＰＵやＲＯＭ等の制御素子を備えた払出制御基板が払出制御基板ケース５の内部に収容される。また、図１４に示すように、遊技機１から取り外された払出制御基板ケース５には、開閉防止部材３００がカバー部材２００の各々筒状体２２１ａ〜２２１ｄ，２３１ａ〜２３１ｄ、支持部材２２５及び連結部材２２６，２２７を覆うように設けられている。なお、理解を容易とするために、図１４及び図１５において、払出制御基板は図示していない。また、開閉防止部材３００についても理解を容易とするために、図１５においては図示していない。
【００５８】
次に、図１４又は図１５を参照して、払出制御基板ケース５のカバー部材２００について説明する。カバー部材２００は、平面視矩形状に形成された保護板２４５と当該保護板２４５の平面視水平方向の一端部（図１５における右端部）から立設された右側面２４１、当該一端部と反対側の端部（図１５における左端部）から立設された左側面２４２、前記水平方向と直交する方向の上縁端部（図１５における上部）から立設された上側面２４３、当該上側面２４３の他端部から当該保護板２４５と平行するように平面視上側（図３における上部）に立設された中間面２４６及び当該上縁端部と反対側の下縁端部（図３における下部）から立設された下側面２４４より構成された保護部材２０１と、当該保護部材２０１の対向する２つの右側面２４１及び左側面２４２に設けられた平面視矩形状の台座２２０ａ〜２２０ｄ，２３０ａ〜２３０ｄより構成されている。ここで、右側面２４１，左側面２４２及び下側面２４４の端部である保護板２４５とは反対側の端部の開放された面を開放面と呼ぶ。また、台座２２０ａ〜２２０ｄ，２３０ａ〜２３０ｄには貫通穴を備えた筒状体２２１ａ〜２２１ｄ，２３１ａ〜２３１ｄと当該筒状体２２１ａ〜２２１ｄ，２３１ａ〜２３１ｄを支持して台座に連結する支持部材２２５（左側面２４２の支持部材は図示していない）及び台座２２０ａ〜２２０ｄ，２３０ａ〜２３０ｄを支持して保護部材２０１の側面２４１，２４２に連結する連結部材２２６，２２７（左側面２４２の連結部材は図示していない）を備えている。また、台座２２０ａ〜２２０ｄ，２３０ａ〜２３０ｄが各々連結している保護部材２０１の側面２４１，２４２には、保護部材２０１の開放面と平行するように横断面が長方形状に形成された板状の係止片２４０ａ，２４０ｂ（左側面２４２の係止片は図示していない）が各々設けられている。
【００５９】
次に、図１４又は図１５を参照して、払出制御基板ケース５のベース部材２５０について説明する。ベース部材２５０は、平面視矩形状に形成された底板２５１と当該底板２５１の平面視水平方向の一端部（図１５における右端部）から立設された右側面２５３、当該一端部と反対側の端部（図１５における左端部）から立設された左側面２５４、前記水平方向と直交する方向の上縁端部（図１５における上部）から立設された上側面２５２を備えている。ここで、各々側面２５２〜２５４の端部である底板２５１とは反対側の端部の開放された面を開放面と呼ぶ。また、ベース部材２５０の対向する２つの側面である右側面２５３，左側面２５４には、カバー部材２００の台座２２０ａ〜２２０ｄ，２３０ａ〜２３０ｄに対向するように直方体状の螺子受け部２６０ａ〜２６０ｄ，２７０ａ〜２７０ｄ（２７０ｄは図示外）が各々設けられている。さらに、螺子受け部２６０ａ〜２６０ｄ，２７０ａ〜２７０ｄ（２７０ｄは図示外）には中空状の螺子孔２６１ａ〜２６１ｄ，２７１ａ〜２７１ｄがベース部材２５０の開放面側から底板２５１の方向に向かって穿設されている。また、ベース部材２５０の対向する２つの側面である右側面２５３及び左側面２５４には、各々側面と垂直をなすように内側方向に横断面が長方形状に形成された板状の係止部２５６，２５７が付設されている。
【００６０】
次に、払出制御基板ケース５において、ベース部材２５０とカバー部材２００を固定する方法について図１４又は図１５を参照して説明する。まず、図１５に示すように、ベース部材２５０の開放面とカバー部材２００の開放面側とを合わせる。そして、カバー部材２００の挿入方向前方（平面視上側）の係止片２４０ｂをベース部材２５０の係止部２５６の平面視下側（底板２５１側）に嵌めこむ。また同様に、対向する左側面２４２の係止片（図示外）に対してもベース部材２５０の係止部２５７の平面視下側（底板２５１側）に嵌めこむ。その後、カバー部材２００をベース部材２５０の上側面２５２方向に滑動させることで、ベース部材２５０に対してカバー部材２００を嵌入することができる。その結果、カバー部材の係止片２４０ａ，２４０ｂ（正面視左側面の係止片は図示していない）がベース部材２５０の係止部２５６，２５７に係止され、カバー部材２００が保護部材２０１方向に外れることを防止できる。また、カバー部材２００の台座２２０ａ〜２２０ｄ，２３０ａ〜２３０ｄに設けられている筒状体２２１ａ〜２２１ｄ，２３１ａ〜２３１ｄが各々対応するベース部材２５０の螺子受け部２６０ａ〜２６０ｄ，２７０ａ〜２７０ｄ（２７０ｄは図示外）に設けられている螺子孔２６１ａ〜２６１ｄ，２７１ａ〜２７１ｄ（２７１ｄは図示外）に対向するような位置まで滑動さすことができる。そして、第一の実施の形態と同様に緊締方向にのみ螺回操作可能な頭部を有する所謂ワンウェイタイプのかしめネジ２８５ａ〜２８５ｄ，２９５ａ〜２９５ｄを筒状体２２１ａ〜２２１ｄ，２３１ａ〜２３１ｄの内部を介して螺子孔２６１ａ〜２６１ｄ，２７１ａ〜２７１ｄ（２７１ｄは図示外）に螺合させることで払出制御基板ケース５を構成するカバー部材２００とベース部材２５０が密着固定される。なお、かしめネジ２８５ａ〜２８５ｄは嵌着される右かしめ部の４箇所全てに用いる必要はなく、うちの１箇所にかしめネジ２８５ａ〜２８５ｄの１つを嵌着すればよい。また、同様に、かしめネジ２９５ａ〜２９５ｄは嵌着される左かしめ部の４箇所全てを用いる必要はなく、うちの１箇所にかしめネジ２９５ａ〜２９５ｄの１つを嵌着すればよい。
【００６１】
また、払出制御基板ケース５を開放する方法について、図１５を参照して説明する。ここで、内部の払出制御基板（図示外）の検査や修理などの理由で、払出制御基板ケース５を開放する必要となった場合、ニッパーやカッター等で支持部材２２５及び連結部材２２６，２２７を切断すれば、カバー部材２００とベース部材２５０とを分離さすことができる。左かしめ部についても同様に支持部材（図示外）及び連結部材（図示外）を切断すればよい。
【００６２】
次に、図１４，図１６乃至図１８を参照して、払出制御基板ケース５の開閉防止部材３００の組付位置について説明する。ここで、開閉防止部材３００が組み付けられる払出制御基板ケース５の内部には、払出制御基板（図示外）が固定されている。そして、第１の実施形態と同様に緊締方向にのみ螺回操作可能な頭部を有するワンウェイタイプのかしめネジ２８５，２９５が筒状体２２１の内部を介して螺子孔２６１に螺合することで払出制御基板ケース５を構成するカバー部材２００とベース部材２５０が密着固定されている。以下では、図１４，図１６乃至図１８を参照してかしめネジ２８５ａが嵌着される右かしめ部及びかしめ部に嵌着する開閉防止部材３００について例示する。
【００６３】
図１４，図１６乃至図２０に示すように、開閉防止部材３００は、蓋部材３１０及び脚受部材３３０から構成さている。ここで、蓋部材３１０，脚受部材３３０の形状及び取付け方法に関しての詳細は後述する。図１６乃至図１８に示すように、長尺状の脚受部材３３０は支持部材２２５と連結部材２２６，２２７の下側及びベース部材２５０の上側にあるカバー部材２００との隙間に嵌入される。また、蓋部材３１０の天板３１１がカバー部材の筒状体２２１の上部（平面視上側）と支持部材２２５及び連結部材の２２６，２２７の上部（平面視上側）を覆うような位置に載置される。そして、蓋部材３１０の長尺状の円柱部材３２１が脚受部材３３０に嵌合することで開閉防止部材３００は、払出制御基板ケース５に取り付けられる。ここで、蓋部材３１０の天板３１１がカバー部材の筒状体２２１の上部（平面視上側）に接するように設けられることが望ましい。これにより、開閉防止部材３００が取り外されない限り、筒状体２２１の内部にあるかしめネジ２８５は触られないようになっている。
【００６４】
次に、図１９を参照して払出制御基板ケース５に装着する開閉防止部材３００の蓋部材３１０について説明する。図１９に示すように、開閉防止部材３００の蓋部材３１０は、平面視矩形状の天板３１１と、２本の長尺状の脚部３２０から構成されている。さらに、脚部３２０は、円柱状の円柱部材３２１と当該円柱部材３２１の先端に設けられた円錐台状の突出部３２２とから構成されている。ここで、円錐台状の突出部３２２の底面の径は、円柱部材３２１の底面の径よりも大きくなっている。そして、円柱部材１２１の長手方向の一端部には円錐台状の突出部３２２の底面が固定されている。また、各々脚部３２０は長手方向一端部が矩形状の天板３１１の一辺を共有する各々角に固定されている。さらに、円柱部材３２１の突出部３２２側及び突出部３２２には平面視、十字状に切欠形状３２３が設けられている。
【００６５】
次に、図１９又は図２０を参照して、払出制御基板ケース５に装着する開閉防止部材３００の脚受部材３３０について説明する。図２０に示すように、脚受部材３３０は長尺状に形成され、横断面が長方形状の板部材である。また、蓋部材３１０の突出部３２２に嵌合する位置に嵌合孔３３３が設けられている。この嵌合孔３３３の開口部３３４の径は、蓋部材３１０の円柱状の円柱部材３２１の径と略同径、若しくはそれ以下である。さらに、嵌合孔３３３の収納部３３５の径は、蓋部材３１０の突出部３２２の円錐台形の底面の径と略同径、若しくはそれ以下になっている。
【００６６】
次に、図１９乃至図２１を参照して、蓋部材３１０と脚受部材３３０の嵌合部分について説明する。まず、蓋部材３１０の円錐台形状である突出部３２２の先端が脚受部材３３０の開口部３３４に挿入されると開口部３３４の内周壁により突出部３２２が径方向内側に押圧される。これにより、突出部３２２の切欠形状３２３の幅が狭くなり突出部３２２が開口部３３４に嵌入される。さらに、蓋部材３１０が押下され、突出部３２２の底面部分が収納部３３５にかかると、蓋部材３１０の突出部３２２の切欠形状３２３が元の形状にもどる。その結果、突出部３２２が脚受部材３３０に嵌合され、蓋部材３１０と脚受部材３３０は固定され、抜脱できなくなる。
【００６７】
以上、説明したように、本実施形態の開閉防止部材３００を備えた払出制御基板ケース５では、蓋部材３１０がカバー部材２００の台座２２０に設けられた筒状体２２１の上部、支持部材２２５及び連結部材２２６，２２７の上部を覆っている。また、カバー部材２００の筒状体２２１の内部に貫通孔があり、貫通孔を介して緊締方向にのみ螺回可能なかしめネジ２８５によりカバー部材２００はベース部材２５０に密着固定されている。したがって、蓋部材３１０と脚受部材３３０から構成される開閉防止部材３００を壊さない限り、筒状体２２１の内部のかしめネジ２８５を操作することはできない。これにより、払出制御基板ケース５のかしめネジ２８５を外し、不正なＲＯＭ交換を目的とした払出制御基板ケース５のこじ開けを有効に防止することができる。尚、本実施形態のかしめネジ２８５が本発明の「螺子」に相当する。
【００６８】
なお、本発明は上記実施形態に限定されることはなく、本発明の要旨を逸脱しない範囲内で種々の改良、変形が可能である。例えば、制御基板ケース１０の開閉防止部材１００の蓋部材１１０の突出部１２２に設けられている切欠形状１２３は、脚受部材１３０の脚受突出部１３２に突出部１２２が嵌合するように切欠が設けられていれば問題ない。また、払出制御基板ケース５の開閉防止部材３００に関しても同様である。
【００６９】
また、制御基板ケース１０又は払出制御基板ケース５の開閉防止部材１００，３００の蓋部材１１０，３１０に対して各々異なった色が着色されていても問題はない。さらに、異なった文字又は記号又は符号が付されていても問題はない。また、蓋部材１１０，３１０をそれぞれ取り付ける際に、とめる１組のかしめネジの順番に応じて、それぞれの組に同じ記号、数字、文字又は図形を表記してもよい。また、とめるかしめネジの順番に応じて、同様に同じ色に着色した蓋部材１１０，３１０を用いてもよい。さらに、蓋部材１１０，３１０の突出部１２２，３２２、切欠形状１２３，３２３は、第一及び第二の実施の形態の形状に限られるものではなく適宜変更可能である。また、突出部１２２，３２２、切欠形状１２３，３２３を設けずに直接、接着剤等で、蓋部材１１０，３１０の脚部１２０，３２０と、脚受け部材１３０，３３０を接続してもよい。また、脚部１２０，３２０を設けず蓋部材１１０，３１０の一部と脚受け部材１３０，３３０を直接接続するようにしてもよい。また、図８又は図１４のように、すべて、蓋を閉める必要はなく、少なくとも各々側面に対になる一組のかしめ部のみ蓋をすればよい。また、当該対になる一組のかしめ部は最初のかしめネジをとめる一組のみ蓋をするだけでもよい。
【００７０】
また、制御基板ケース１０の開閉防止部材１００の脚受底板１３１の平面視コの字形状の内側の側面は、一部が平面視略半円状になっていてもよい。当該略半円状になることで筒状体９３の周壁に接する部分が多くなるため、蓋部材１１０と脚受部材１３０が固定した際に、より緩みにくくなる。また、脚受底板１３１は平面視コの字形状になっているが、平面視Ｕ字形状になっていてもよい。また、その際に、天板１１１が同じ形状のＵ字形状になっていてもよいし、当該Ｕ字形状とは異なる蓋部材１１０の構成でもよい。
【００７１】
また、図８及び図１４に示すように本願のかしめ部材の構造は片側４組（４個）の部材で構成されているが、３組（３個）以下並びに、５組（５個）以上に構成してもよい。また、それぞれの構造は略同じ形状となっているが、少なくとも１つ（１組）以上異なるようにしてもよい。その際、少なくとも１つ（１組）以上異なった形状の蓋部材及び脚受部材になるように構成される。これにより、少なくとも各組ごとに異なる形状の蓋部材及び脚受部材を使用した場合には、形状をみることで、どの部分（組）のかしめ部を止めているかを把握しやすくなる。また、払出制御基板ケース５に使われる脚受部材３３０に固定される蓋部材３１０は少なくとも一組以上連結されるように構成してもよい。
【００７２】
また、払出制御基板ケース５の開閉防止部材３００の蓋部材３１０は、図２２乃至図２４に示す蓋部材３１０ａのような形状であっても問題はない。図２２は変形例の蓋部材３１０ａの上側から見た斜視図あり、図２３は変形例の蓋部材３１０ａが取り付けられたかしめ部の右側面図であり、図２４は変形例の蓋部材３１０ａが取り付けられたかしめ部の正面図である。図２２に示すように、蓋部材３１０ａには、上述した蓋部材３１０（図１９参照）の天板３１１に固定されている２つの脚部材３２０に遠い側の端部に立設された下側面３１３（図２２における下部）、当該遠い側の端部と直交する左縁端部（図２２における左端部）から立設された左側面３１２（図２２における左端部）及び当該左縁端部と反対側の端部（図２２における右端部）から立設された右側面３１４が設けられている。図２３，図２４に示すように、右側面３１４と対向する側をカバー部材５の保護部材２０１の側面に向け、蓋部材３１０ａを脚受け部材３３０に嵌合するように取り付けると、蓋部材３１０ａの天板３１１及び各々側面３１２，３１３，３１４が筒状体２２１、支持部材２２５及び連結部材２２６，２２７の上部（図２３の上部）及び各々側面（図２３の左端部，図２４の右端部，図２３の右端部）を覆う。これにより、筒状体２２１、支持部材２２５及び連結部材２２６，２２７外部より直接に触れられことを防げる。よって、払出制御基板ケース５のかしめネジ２８５が直接に触れられることを防止できる。また、蓋部材３１０ａの形状は、筒状体２２１、支持部材２２５及び連結部材２２６，２２７を覆う形状であれば問題はなく、上記の形状に制限しない。
【００７３】
また、制御基板ケース１０，払出制御基板ケース５に使用される蓋部材１１０，３１０，３１０ａの脚部１２０，３２０は、円柱状の形状に限るものではなく、角柱状のものであってもよい。また、形状をランダムに構成してもよい。当該脚部１２０，３２０はニッパー等で切断可能に構成する場合には、略０．５〜２ｍｍ前後の太さであることが望ましい。特に、切断する道具を制限しない場合には当該太さに限定されるものではない。また、脚部１２０，３２０の太さもすべて同じにする必要はない。
【産業上の利用可能性】
【００７４】
本発明に係る遊技機の基板ケースの開閉防止部材は、パチンコ機１に用いられる基板ケースに限られず、パチコン機、パチスロ機等の各種の遊技機に用いられる基板ケースに適用可能である。
【図面の簡単な説明】
【００７５】
【図１】パチンコ機１の背面図である。
【図２】パチンコ機１の背面における部分拡大図である。
【図３】開閉防止部材を設けた制御基板ケース１０の斜視図である。
【図４】制御基板ケース１０の分解斜視図である。
【図５】制御基板ケース１０の平面図である。
【図６】右かしめ部１１ａ〜１１ｄの斜視図である。
【図７】右かしめ部１１ａの部分拡大図である。
【図８】開閉防止部材１００を備えた右かしめ部の部分拡大図である。
【図９】開閉防止部材１００の蓋部材１１０の斜視図である。
【図１０】開閉防止部材１００の蓋部材１１０の正面図である。
【図１１】開閉防止部材１００の脚受部材１３０の斜視図である。
【図１２】開閉防止部材１００の脚受部材１３０の正面図である。
【図１３】開閉防止部材１００の嵌合時の斜視図である。
【図１４】開閉防止部材３００が取り付けられた払出制御基板ケース５の斜視図である。
【図１５】払出制御基板ケース５の分解斜視図である。
【図１６】開閉防止部材３００が取り付けられたかしめ部の平面図である。
【図１７】開閉防止部材３００が取り付けられたかしめ部の右側面図である。
【図１８】開閉防止部材３００が取り付けられたかしめ部の正面図である。
【図１９】開閉防止部材３００の蓋部材３１０の上側から見た斜視図である。
【図２０】開閉防止部材３００の脚受部材３３０の上側から見た斜視図である。
【図２１】開閉防止部材３００の嵌合時の斜視図である。
【図２２】変形例の蓋部材３１０ａの上側から見た斜視図ある。
【図２３】変形例の蓋部材３１０ａが取り付けられたかしめ部の右側面図である。
【図２４】変形例の蓋部材３１０ａが取り付けられたかしめ部の正面図である。
【符号の説明】
【００７６】
１  パチンコ機
５  払出制御基板ケース
１０  制御基板ケース
２０  カバー部材
２６  保護部材
２７  台座
３０    ベース部材
３１ａ，３１ｂ，３１ｃ，３１ｄ    螺子受け部
３２ａ，３２ｂ，３２ｃ，３２ｄ    螺子受け部
８０ａ，８０ｂ，８０ｃ，８０ｄ    かしめネジ
９０ａ，９０ｂ，９０ｃ，９０ｄ    かしめネジ
９３  筒状体
９４，９５  支持部材
１００  開閉防止部材
１１０  蓋部材
１１１  天板
１２０  脚部
１２３  切欠形状
１３０  脚受部材
２００  カバー部材
２０１  保護部材
２２１  筒状体
２２５  支持部材
２２０ａ〜２２０ｄ，２３０ａ〜２３０ｄ  台座
２５０  ベース部材
２８５ａ，２８５ｂ，２８５ｃ，２８５ｄ    かしめネジ
２９５ａ，２９５ｂ，２９５ｃ，２９５ｄ    かしめネジ
３００  開閉防止部材
３１０  蓋部材
３１０ａ  蓋部材
３１１  天板
３２０  脚部
３２３  切欠形状
３３０  脚受部材
【図１】
0005256525.tif 000002
【図２】
0005256525.tif 000003
【図３】
0005256525.tif 000004
【図４】
0005256525.tif 000005
【図５】
0005256525.tif 000006
【図６】
0005256525.tif 000007
【図７】
0005256525.tif 000008
【図８】
0005256525.tif 000009
【図９】
0005256525.tif 000010
【図１０】
0005256525.tif 000011
【図１１】
0005256525.tif 000012
【図１２】
0005256525.tif 000013
【図１３】
0005256525.tif 000014
【図１４】
0005256525.tif 000015
【図１５】
0005256525.tif 000016
【図１６】
0005256525.tif 000017
【図１７】
0005256525.tif 000018
【図１８】
0005256525.tif 000019
【図１９】
0005256525.tif 000020
【図２０】
0005256525.tif 000021
【図２１】
0005256525.tif 000022
【図２２】
0005256525.tif 000023
【図２３】
0005256525.tif 000024
【図２４】
0005256525.tif 000025